(57)【要約】【課題】  ユーザが面倒な作業を行うことなく、効率よく画像データ等のダウンロードのサービスの提供を受けることができるようにする。【解決手段】  サービス提供サーバ７に保存された画像データの購入リクエストおよび携帯電話１の識別コードを携帯電話１から携帯サイトサーバ５に送信する。サーバ５は、ユニークＩＤを発行し、ユニークＩＤ、識別コードから得られるユーザ情報および注文情報をサービス提供サーバ７へ送信する。サーバ７はこれを登録する。ユニークＩＤは携帯電話１にも送信され、携帯電話１はユニークＩＤをレコーダ３に送信する。レコーダ３はユニークＩＤをサーバ７に送信する。サーバ７はユニークＩＤが登録されていると、画像データをレコーダ３に送信する。これにより、レコーダ３は購入した画像データをダウンロードする。【選択図】          図１
2006003934.tif 000002
【特許請求の範囲】
【請求項１】
各種情報を送受信する通信手段と、
サービスとして提供するサービス情報を含む各種情報を記録する記録手段と、
前記通信手段が受信した各種情報に応じたサービスを提供する情報処理手段と、
ユーザを特定可能な第１の装置から送信された、該ユーザを識別するユーザ識別情報およびサービス提供のリクエストを含む第１の情報並びにユーザを特定不可能な第２の装置から送信された前記サービス情報の送信指示を含む第２の情報を受信し、識別情報に基づいて前記第１の情報および前記第２の情報を関連づけて前記サービス情報の送信を含むサービスを提供するよう、前記通信手段、前記記録手段および前記情報処理手段を制御する制御手段とを備えたことを特徴とする情報処理装置。
【請求項２】
前記制御手段は、前記第１の情報および前記第２の情報を関連づける処理を、前記第１の装置、前記第２の装置または自身が発行した前記識別情報に基づいて行う手段であることを特徴とする請求項１記載の情報処理装置。
【請求項３】
前記記録手段に保存されているサービス情報が画像データであり、前記サービス提供のリクエストが該画像データの送信であることを特徴とする請求項１または２記載の情報処理装置。
【請求項４】
前記記録手段に保存されているサービス情報が画像データであり、前記サービス提供のリクエストが暗号化された前記画像データおよび該暗号化された画像データの暗号解除キーの送信であることを特徴とする請求項１または２記載の情報処理装置。
【請求項５】
前記制御手段は、前記第１の情報に含まれる前記ユーザ識別情報に基づいて、該第１の情報を送信したユーザに対する前記サービスの提供についての課金情報を生成する手段であることを特徴とする請求項１から４のいずれか１項記載の情報処理装置。
【請求項６】
ユーザを識別するユーザ識別情報を記録する記録手段と、
請求項１から５のいずれか１項記載の情報処理装置と通信を行う第１の通信手段と、
各種情報を受信して蓄積する情報蓄積装置と通信を行う第２の通信手段とを備えた携帯端末装置において、
前記情報蓄積装置が受信するサービス情報を指定する処理を前記情報処理装置に対して行い、前記ユーザ識別情報およびサービス提供のリクエストを含む第１の情報を前記情報処理装置に送信し、前記情報処理装置が送信した前記サービス情報の取得先を表す取得先情報を受信し、該取得先情報を前記情報蓄積装置に送信し、前記第１の情報を識別する識別情報を前記取得先へ送信する指示とともに前記指定したサービス情報を前記取得先から受信する指示を前記情報蓄積装置に対して行うよう、前記記録手段、前記第１の通信手段および前記第２の通信手段を制御する制御手段とを備えたことを特徴とする携帯端末装置。
【請求項７】
ユーザを識別するユーザ識別情報を記録する記録手段と、
請求項１から５のいずれか１項記載の情報処理装置と通信を行う第１の通信手段と、
各種情報を受信して蓄積する情報蓄積装置と通信を行う第２の通信手段とを備えた携帯端末装置において、
前記情報蓄積装置が受信するサービス情報を指定する処理および該サービス情報の受信指示を前記情報蓄積装置に対して行い、前記ユーザ識別情報およびサービス提供のリクエストを含む第１の情報を前記情報処理装置に送信し、該情報処理装置から前記サービスの提供を受け、該提供されたサービスをさらに前記情報蓄積装置に提供するよう、前記記録手段、前記第１の通信手段および前記第２の通信手段を制御する制御手段とを備えたことを特徴とする携帯端末装置。
【請求項８】
請求項１から５のいずれか１項記載の情報処理装置と通信を行う第１の通信手段と、
請求項６記載の携帯端末装置と通信を行う第２の通信手段と、
各種情報を記録する記録手段とを備えた情報蓄積装置において、
前記携帯端末装置による前記情報処理装置から受信するサービス情報を指定する処理を受け付け、前記携帯端末装置が送信した、前記指定されたサービス情報の取得先を表す取得先情報および前記第１の情報を識別する識別情報を前記取得先に送信するとともに前記指定されたサービス情報を前記取得先から受信する指示を受信し、前記識別情報を前記取得先に送信し、前記指定されたサービス情報を前記取得先から受信するよう、前記記録手段、前記第１の通信手段および前記第２の通信手段を制御する制御手段とを備えたことを特徴とする情報蓄積装置。
【請求項９】
請求項１から５のいずれか１項記載の情報処理装置と通信を行う第１の通信手段と、
請求項７記載の携帯端末装置と通信を行う第２の通信手段と、
各種情報を記録する記録手段とを備えた情報蓄積装置において、
前記携帯端末装置による前記情報処理装置から受信するサービス情報を指定する処理および該サービス情報の受信の指示を受け付け、該サービス情報を受信し、前記携帯端末装置が送信した、前記情報処理装置から提供されたサービスの提供を受けるよう、前記記録手段、前記第１の通信手段および前記第２の通信手段を制御する制御手段とを備えたことを特徴とする情報蓄積装置。
【請求項１０】
ユーザを識別するユーザ識別情報およびサービス提供のリクエストを含む第１の情報を送信する、ユーザを特定可能な第１の装置と、
サービス情報の送信指示を含む第２の情報を送信する、ユーザを特定不可能な第２の装置と、
請求項１から５のいずれか１項記載の情報処理装置とを備えたことを特徴とする情報処理システム。
【請求項１１】
前記第１の装置が、請求項６記載の携帯端末装置であることを特徴とする請求項１０記載の情報管理システム。
【請求項１２】
前記第１の装置が、請求項７記載の携帯端末装置であることを特徴とする請求項１０記載の情報管理システム。
【請求項１３】
前記第２の装置が、請求項８記載の情報蓄積装置であることを特徴とする請求項１０または１１記載の情報処理システム。
【請求項１４】
前記第２の装置が、請求項９記載の情報蓄積装置であることを特徴とする請求項１０または１２記載の情報処理システム。
【請求項１５】
各種情報を送受信する通信手段と、
サービスとして提供するサービス情報を含む各種情報を記録する記録手段と、
前記通信手段が受信した各種情報に応じたサービスを提供する情報処理手段とを備えた情報処理装置における情報処理方法において、
ユーザを特定可能な第１の装置から送信された、該ユーザを識別するユーザ識別情報およびサービス提供のリクエストを含む第１の情報並びにユーザを特定不可能な第２の装置から送信された前記サービス情報の送信指示を含む第２の情報を受信し、
識別情報に基づいて前記第１の情報および前記第２の情報を関連づけて前記サービス情報の送信を含むサービスを提供することを特徴とする情報処理方法。
【請求項１６】
前記第１の情報に含まれる前記ユーザ識別情報に基づいて、該第１の情報を送信したユーザに対する前記サービスの提供についての課金情報を生成することを特徴とする請求項１５記載の情報処理方法。
【請求項１７】
ユーザを識別するユーザ識別情報を記録する記録手段と、
請求項１から５のいずれか１項記載の情報処理装置と通信を行う第１の通信手段と、
各種情報を受信して蓄積する情報蓄積装置と通信を行う第２の通信手段とを備えた携帯端末装置における情報処理方法において、
前記情報蓄積装置が受信するサービス情報を指定する処理を前記情報処理装置に対して行い、
前記ユーザ識別情報およびサービス提供のリクエストを含む第１の情報を前記情報処理装置に送信し、
前記情報処理装置が送信した前記サービス情報の取得先を表す取得先情報を受信し、
該取得先情報を前記情報蓄積装置に送信し、
前記第１の情報を識別する識別情報を前記取得先へ送信する指示とともに前記指定したサービス情報を前記取得先から受信する指示を前記情報蓄積装置に対して行うことを特徴とする情報処理方法。
【請求項１８】
ユーザを識別するユーザ識別情報を記録する記録手段と、
請求項１から５のいずれか１項記載の情報処理装置と通信を行う第１の通信手段と、
各種情報を受信して蓄積する情報蓄積装置と通信を行う第２の通信手段とを備えた携帯端末装置における情報処理方法において、
前記情報蓄積装置が受信するサービス情報を指定する処理および該サービス情報の受信指示を前記情報蓄積装置に対して行い、
前記ユーザ識別情報およびサービス提供のリクエストを含む第１の情報を前記情報処理装置に送信し、
該情報処理装置から前記サービスの提供を受け、
該提供されたサービスをさらに前記情報蓄積装置に提供することを特徴とする情報処理方法。
【請求項１９】
請求項１から５のいずれか１項記載の情報処理装置と通信を行う第１の通信手段と、
請求項６記載の携帯端末装置と通信を行う第２の通信手段と、
各種情報を記録する記録手段とを備えた情報蓄積装置における情報処理方法において、
前記携帯端末装置による前記情報処理装置から受信するサービス情報を指定する処理を受け付け、
前記携帯端末装置が送信した、前記指定されたサービス情報の取得先を表す取得先情報および前記第１の情報を識別する識別情報を前記取得先に送信するとともに前記指定されたサービス情報を前記取得先から受信する指示を受信し、
前記識別情報を前記取得先に送信し、
前記指定されたサービス情報を前記取得先から受信することを特徴とする情報処理方法。
【請求項２０】
請求項１から５のいずれか１項記載の情報処理装置と通信を行う第１の通信手段と、
請求項７記載の携帯端末装置と通信を行う第２の通信手段と、
各種情報を記録する記録手段とを備えた情報蓄積装置における情報処理方法において、
前記携帯端末装置による前記情報処理装置から受信するサービス情報を指定する処理および該サービス情報の受信の指示を受け付け、
該サービス情報を受信し、
前記携帯端末装置が送信した、前記情報処理装置から提供されたサービスの提供を受けることを特徴とする情報処理方法。
【請求項２１】
各種情報を送受信する通信手段と、
サービスとして提供するサービス情報を含む各種情報を記録する記録手段と、
前記通信手段が受信した各種情報に応じたサービスを提供する情報処理手段とを備えた情報処理装置における情報処理方法をコンピュータに実行させるためのプログラムにおいて、
ユーザを特定可能な第１の装置から送信された、該ユーザを識別するユーザ識別情報およびサービス提供のリクエストを含む第１の情報並びにユーザを特定不可能な第２の装置から送信された前記サービス情報の送信指示を含む第２の情報を受信する手順と、
識別情報に基づいて前記第１の情報および前記第２の情報を関連づけて前記サービス情報の送信を含むサービスを提供する手順とを有することを特徴とするプログラム。
【請求項２２】
前記第１の情報に含まれる前記ユーザ識別情報に基づいて、該第１の情報を送信したユーザに対する前記サービスの提供についての課金情報を生成する手順をさらに有することを特徴とする請求項２１記載のプログラム。
【請求項２３】
ユーザを識別するユーザ識別情報を記録する記録手段と、
請求項１から５のいずれか１項記載の情報処理装置と通信を行う第１の通信手段と、
各種情報を受信して蓄積する情報蓄積装置と通信を行う第２の通信手段とを備えた携帯端末装置における情報処理方法をコンピュータに実行させるためのプログラムにおいて、
前記情報蓄積装置が受信するサービス情報を指定する処理を前記情報処理装置に対して行う手順と、
前記ユーザ識別情報およびサービス提供のリクエストを含む第１の情報を前記情報処理装置に送信する手順と、
前記情報処理装置が送信した前記サービス情報の取得先を表す取得先情報を受信する手順と、
該取得先情報を前記情報蓄積装置に送信する手順と、
前記第１の情報を識別する識別情報を前記取得先へ送信する指示とともに前記指定したサービス情報を前記取得先から受信する指示を前記情報蓄積装置に対して行う手順とを有することを特徴とするプログラム。
【請求項２４】
ユーザを識別するユーザ識別情報を記録する記録手段と、
請求項１から５のいずれか１項記載の情報処理装置と通信を行う第１の通信手段と、
各種情報を受信して蓄積する情報蓄積装置と通信を行う第２の通信手段とを備えた携帯端末装置における情報処理方法をコンピュータに実行させるためのプログラムにおいて、
前記情報蓄積装置が受信するサービス情報を指定する処理および該サービス情報の受信指示を前記情報蓄積装置に対して行う手順と、
前記ユーザ識別情報およびサービス提供のリクエストを含む第１の情報を前記情報処理装置に送信する手順と、
該情報処理装置から前記サービスの提供を受ける手順と、
該提供されたサービスをさらに前記情報蓄積装置に提供する手順とを有することを特徴とするプログラム。
【請求項２５】
請求項１から５のいずれか１項記載の情報処理装置と通信を行う第１の通信手段と、
請求項６記載の携帯端末装置と通信を行う第２の通信手段と、
各種情報を記録する記録手段とを備えた情報蓄積装置における情報処理方法をコンピュータに実行させるためのプログラムにおいて、
前記携帯端末装置による前記情報処理装置から受信するサービス情報を指定する処理を受け付ける手順と、
前記携帯端末装置が送信した、前記指定されたサービス情報の取得先を表す取得先情報および前記第１の情報を識別する識別情報を前記取得先に送信するとともに前記指定されたサービス情報を前記取得先から受信する指示を受信する手順と、
前記識別情報を前記取得先に送信する手順と、
前記指定されたサービス情報を前記取得先から受信する手順とを有することを特徴とするプログラム。
【請求項２６】
請求項１から５のいずれか１項記載の情報処理装置と通信を行う第１の通信手段と、
請求項７記載の携帯端末装置と通信を行う第２の通信手段と、
各種情報を記録する記録手段とを備えた情報蓄積装置における情報処理方法をコンピュータに実行させるためのプログラムにおいて、
前記携帯端末装置による前記情報処理装置から受信するサービス情報を指定する処理および該サービス情報の受信の指示を受け付ける手順と、
該サービス情報を受信する手順と、
前記携帯端末装置が送信した、前記情報処理装置から提供されたサービスの提供を受ける手順とを有することを特徴とするプログラム。
【発明の詳細な説明】
【技術分野】
【０００１】
本発明は、各種装置から送信された情報に応じたサービスを提供する情報処理装置、携帯端末装置、情報蓄積装置、情報処理システム、情報処理方法および情報処理方法をコンピュータに実行させるためのプログラムに関するものである。
【背景技術】
【０００２】
ＤＶＤ／ＨＤＤレコーダのように、画像データを保存することが可能なデジタル家電が普及しており、このようなデジタル家電をホームサーバとして機能させることが可能である。例えば、テレビ番組を保存することはもちろん、レコーダにメモリカードスロットルを設け、デジタルカメラにより取得した画像データをレコーダに保存したり、ＵＳＢ等のインターフェースを介してデジタルカメラと接続して画像データを保存することが可能となっている。このようなレコーダは大容量のＨＤＤを備えているため、大量の画像データを保存することが可能である。
【０００３】
また、イーサネット（登録商標）端子を備えたレコーダも提案されており、このようなレコーダでは、家庭内のブロードバンドルータからインターネットに接続し、サーバからテレビ番組表を入手してテレビ番組の予約録画を簡単に行うことができるようになっている。
【０００４】
このようなレコーダは、パソコンと同様にレコーダ内部のソフトウェアに応じて様々な機能を実現することができる。例えば、特定のサーバから画像データや動画像データをダウンロードしたり、逆に保存した画像データや動画像データを特定のサーバにアップロードすることが可能である。このため、テレビを用いてユーザインターフェースを表示し、そこから画像データを保存するサーバにアクセスして画像データをダウンローする用途、あるいはレコーダに保存された画像データをプリントサービスを提供するサーバにアップロードして、画像データのプリント注文を行う用途にレコーダを用いることが考えられる。
【０００５】
一方、デジタルカメラを搭載したカメラ付き携帯電話の普及により、携帯電話に画像データを保存してプリントサービスを提供するサーバにアップロードして、画像データのプリント注文を行うシステムが提案されている（特許文献１，２参照）。
【０００６】
また、プリントサービスを提供するサーバにおいても各種サービスが提供されている。例えば、ユーザが送信した画像データを一定期間保存しておき、保存した画像データについてのプリント注文があった場合には保存されている画像データを使用するシステム（特許文献３参照）、および画像データを受信する際には、所定の情報が付与されている画像データのみを受信することにより、受信する画像データを制限するようにしたシステムも提案されている（特許文献４参照）。
【特許文献１】特開２００２−２５１３５５号公報
【特許文献２】特開２００３−２６３４７１号公報
【特許文献３】特開２００２−１３３１３３号公報
【特許文献４】特開２００３−１１１００８号公報
【発明の開示】
【発明が解決しようとする課題】
【０００７】
ところで、上述したレコーダにサーバに保存された画像データをダウンロードする注文を行うような場合、レコーダにはユーザの氏名、住所、電話番号、料金の支払い方法等を特定する情報を保存していない。このため、ユーザは注文を行う毎にこれらの情報を入力してサーバに送信する必要があり、その作業が非常に面倒である。
【０００８】
一方、携帯電話は携帯電話の番号によりユーザを特定でき、しかも携帯電話会社のキャリアを通じてユーザに対して課金を行うことができるため、サーバにおいては画像データのダウンロードの注文についての課金管理を行いやすい。しかしながら、携帯電話の回線はブロードバンド回線と比較すると帯域が狭く、大量の画像データのダウンロードを行うには不向きである。
【０００９】
本発明は上記事情に鑑みなされたものであり、面倒な作業を行うことなく、効率よく画像データのダウンロード等のサービスの提供を受けることができるようにすることを目的とする。
【課題を解決するための手段】
【００１０】
本発明による情報処理装置は、各種情報を送受信する通信手段と、
サービスとして提供するサービス情報を含む各種情報を記録する記録手段と、
前記通信手段が受信した各種情報に応じたサービスを提供する情報処理手段と、
ユーザを特定可能な第１の装置から送信された、該ユーザを識別するユーザ識別情報およびサービス提供のリクエストを含む第１の情報並びにユーザを特定不可能な第２の装置から送信された前記サービス情報の送信指示を含む第２の情報を受信し、識別情報に基づいて前記第１の情報および前記第２の情報を関連づけて前記サービス情報の送信を含むサービスを提供するよう、前記通信手段、前記記録手段および前記情報処理手段を制御する制御手段とを備えたことを特徴とするものである。
【００１１】
なお、本発明による情報処理装置においては、前記制御手段を、前記第１の情報および前記第２の情報を関連づける処理を、前記第１の装置、前記第２の装置または自身が発行した前記識別情報に基づいて行う手段としてもよい。
【００１２】
ここで、第１の装置が識別情報を発行した場合、第１の装置が識別情報を第１の情報とともに情報処理装置に送信し、第２の情報を送信する指示とともに識別情報を第２の装置に送信する。
【００１３】
また、情報処理装置が識別情報を発行した場合、情報処理装置が識別情報を第１の装置に送信し、第１の装置が第２の情報を送信する指示とともに、受信した識別情報を第２の装置に送信する。
【００１４】
また、第２の装置が識別情報を発行した場合、第２の装置が識別情報を第２の情報とともに情報処理装置に送信し、識別情報を第１の装置に送信するまたは第２の装置に接続された表示手段に表示する。
【００１５】
また、本発明による情報処理装置においては、前記記録手段に保存されているサービス情報が画像データであり、前記サービス提供のリクエストが該画像データの送信であってもよい。
【００１６】
また、本発明による情報処理装置においては、前記記録手段に保存されているサービス情報が画像データであり、前記サービス提供のリクエストが暗号化された前記画像データおよび該暗号化された画像データの暗号解除キーの送信であってもよい。
【００１７】
また、本発明による情報処理装置においては、前記制御手段を、前記第１の情報に含まれる前記ユーザ識別情報に基づいて、該第１の情報を送信したユーザに対する前記サービスの提供についての課金情報を生成する手段としてもよい。
【００１８】
本発明による第１の携帯端末装置は、ユーザを識別するユーザ識別情報を記録する記録手段と、
本発明による情報処理装置と通信を行う第１の通信手段と、
各種情報を受信して蓄積する情報蓄積装置と通信を行う第２の通信手段とを備えた携帯端末装置において、
前記情報蓄積装置が受信するサービス情報を指定する処理を前記情報処理装置に対して行い、前記ユーザ識別情報およびサービス提供のリクエストを含む第１の情報を前記情報処理装置に送信し、前記情報処理装置が送信した前記サービス情報の取得先を表す取得先情報を受信し、該取得先情報を前記情報蓄積装置に送信し、前記第１の情報を識別する識別情報を前記取得先へ送信する指示とともに前記指定したサービス情報を前記取得先から受信する指示を前記情報蓄積装置に対して行うよう、前記記録手段、前記第１の通信手段および前記第２の通信手段を制御する制御手段とを備えたことを特徴とするものである。
【００１９】
本発明による第２の携帯端末装置は、ユーザを識別するユーザ識別情報を記録する記録手段と、
本発明による情報処理装置と通信を行う第１の通信手段と、
各種情報を受信して蓄積する情報蓄積装置と通信を行う第２の通信手段とを備えた携帯端末装置において、
前記情報蓄積装置が受信するサービス情報を指定する処理および該サービス情報の受信指示を前記情報蓄積装置に対して行い、前記ユーザ識別情報およびサービス提供のリクエストを含む第１の情報を前記情報処理装置に送信し、該情報処理装置から前記サービスの提供を受け、該提供されたサービスをさらに前記情報蓄積装置に提供するよう、前記記録手段、前記第１の通信手段および前記第２の通信手段を制御する制御手段とを備えたことを特徴とするものである。
【００２０】
本発明による第１の情報蓄積装置は、本発明による情報処理装置と通信を行う第１の通信手段と、
本発明による第１の携帯端末装置と通信を行う第２の通信手段と、
各種情報を記録する記録手段とを備えた情報蓄積装置において、
前記携帯端末装置による前記情報処理装置から受信するサービス情報を指定する処理を受け付け、前記携帯端末装置が送信した、前記指定されたサービス情報の取得先を表す取得先情報および前記第１の情報を識別する識別情報を前記取得先に送信するとともに前記指定されたサービス情報を前記取得先から受信する指示を受信し、前記識別情報を前記取得先に送信し、前記指定されたサービス情報を前記取得先から受信するよう、前記記録手段、前記第１の通信手段および前記第２の通信手段を制御する制御手段とを備えたことを特徴とするものである。
【００２１】
本発明による第２の情報蓄積装置は、本発明による情報処理装置と通信を行う第１の通信手段と、
本発明による第２の携帯端末装置と通信を行う第２の通信手段と、
各種情報を記録する記録手段とを備えた情報蓄積装置において、
前記携帯端末装置による前記情報処理装置から受信するサービス情報を指定する処理および該サービス情報の受信の指示を受け付け、該サービス情報を受信し、前記携帯端末装置が送信した、前記情報処理装置から提供されたサービスの提供を受けるよう、前記記録手段、前記第１の通信手段および前記第２の通信手段を制御する制御手段とを備えたことを特徴とするものである。
【００２２】
本発明による情報管理システムは、ユーザを識別するユーザ識別情報およびサービス提供のリクエストを含む第１の情報を送信する、ユーザを特定可能な第１の装置と、
サービス情報の送信指示を含む第２の情報を送信する、ユーザを特定不可能な第２の装置と、
本発明による情報処理装置とを備えたことを特徴とするものである。
【００２３】
なお、本発明による情報処理システムにおいては、前記第１の装置が、本発明による第１または第２の携帯端末装置であってもよい。
【００２４】
また、本発明による情報処理システムにおいては、前記第２の装置が、本発明による第１または第２の情報蓄積装置であってもよい。
【００２５】
本発明による第１の情報処理方法は、各種情報を送受信する通信手段と、
サービスとして提供するサービス情報を含む各種情報を記録する記録手段と、
前記通信手段が受信した各種情報に応じたサービスを提供する情報処理手段とを備えた情報処理装置における情報処理方法において、
ユーザを特定可能な第１の装置から送信された、該ユーザを識別するユーザ識別情報およびサービス提供のリクエストを含む第１の情報並びにユーザを特定不可能な第２の装置から送信された前記サービス情報の送信指示を含む第２の情報を受信し、
識別情報に基づいて前記第１の情報および前記第２の情報を関連づけて前記サービス情報の送信を含むサービスを提供することを特徴とするものである。
【００２６】
なお、本発明による第１の情報処理方法においては、前記第１の情報に含まれる前記ユーザ識別情報に基づいて、該第１の情報を送信したユーザに対する前記サービスの提供についての課金情報を生成するようにしてもよい。
【００２７】
本発明による第２の情報処理方法は、ユーザを識別するユーザ識別情報を記録する記録手段と、
本発明による情報処理装置と通信を行う第１の通信手段と、
各種情報を受信して蓄積する情報蓄積装置と通信を行う第２の通信手段とを備えた携帯端末装置における情報処理方法において、
前記情報蓄積装置が受信するサービス情報を指定する処理を前記情報処理装置に対して行い、
前記ユーザ識別情報およびサービス提供のリクエストを含む第１の情報を前記情報処理装置に送信し、
前記情報処理装置が送信した前記サービス情報の取得先を表す取得先情報を受信し、
該取得先情報を前記情報蓄積装置に送信し、
前記第１の情報を識別する識別情報を前記取得先へ送信する指示とともに前記指定したサービス情報を前記取得先から受信する指示を前記情報蓄積装置に対して行うことを特徴とするものである。
【００２８】
本発明による第３の情報処理方法は、ユーザを識別するユーザ識別情報を記録する記録手段と、
本発明による情報処理装置と通信を行う第１の通信手段と、
各種情報を受信して蓄積する情報蓄積装置と通信を行う第２の通信手段とを備えた携帯端末装置における情報処理方法において、
前記情報蓄積装置が受信するサービス情報を指定する処理および該サービス情報の受信指示を前記情報蓄積装置に対して行い、
前記ユーザ識別情報およびサービス提供のリクエストを含む第１の情報を前記情報処理装置に送信し、
該情報処理装置から前記サービスの提供を受け、
該提供されたサービスをさらに前記情報蓄積装置に提供することを特徴とするものである。
【００２９】
本発明による第４の情報処理方法は、本発明による情報処理装置と通信を行う第１の通信手段と、
本発明による第１の携帯端末装置と通信を行う第２の通信手段と、
各種情報を記録する記録手段とを備えた情報蓄積装置における情報処理方法において、
前記携帯端末装置による前記情報処理装置から受信するサービス情報を指定する処理を受け付け、
前記携帯端末装置が送信した、前記指定されたサービス情報の取得先を表す取得先情報および前記第１の情報を識別する識別情報を前記取得先に送信するとともに前記指定されたサービス情報を前記取得先から受信する指示を受信し、
前記識別情報を前記取得先に送信し、
前記指定されたサービス情報を前記取得先から受信することを特徴とするものである。
【００３０】
本発明による第５の情報処理方法は、本発明による情報処理装置と通信を行う第１の通信手段と、
本発明による第２の携帯端末装置と通信を行う第２の通信手段と、
各種情報を記録する記録手段とを備えた情報蓄積装置における情報処理方法において、
前記携帯端末装置による前記情報処理装置から受信するサービス情報を指定する処理および該サービス情報の受信の指示を受け付け、
該サービス情報を受信し、
前記携帯端末装置が送信した、前記情報処理装置から提供されたサービスの提供を受けることを特徴とするものである。
【００３１】
なお、本発明による第１から第５の情報処理方法をコンピュータに実行させるためのプログラムとして提供してもよい。
【発明の効果】
【００３２】
本発明によれば、ユーザを特定可能な第１の装置から送信された、ユーザ識別情報およびサービス提供のリクエストを含む第１の情報並びにユーザを特定不可能な第２の装置から送信されたサービス情報の送信指示を含む第２の情報が受信される。そして、識別情報に基づいて第１および第２の情報を関連づけてサービス情報の送信を含むサービスが提供される。このため、ユーザは単に第１および第２の情報をサーバに送信する作業を行うのみで、第１および第２の情報を関連づけてサービス情報の送信を含むサービスの提供を受けることができる。
【００３３】
また、第１および第２の情報を関連づける処理を、第１の装置、第２の装置または情報処理装置が発行した識別情報に基づいて行うことにより、第１および第２の情報を関連づける処理を容易に行うことができる。
【００３４】
また、記録手段に保存されている情報を画像データ、サービス提供のリクエストを、保存されている画像データの送信とすることにより、ユーザは画像データを送信するリクエストを送信する作業を行うのみで、画像データの送信を受けることができる。
【００３５】
また、記録手段に保存されている情報を画像データ、サービス提供のリクエストを、暗号化された画像データおよび暗号解除キーの送信とすることにより、ユーザは画像データを送信するリクエストを送信する作業を行うのみで、画像データおよび暗号解除キーの送信を受けることができる。この場合、暗号解除キーにより暗号化された画像データが復号化されて、画像データが表示されることとなる。
【００３６】
また、第１の情報に含まれるユーザ識別情報に基づいて、第１の情報を送信したユーザに対するサービスの提供についての課金情報を生成することにより、ユーザに対して容易に課金を行うことができる。
【発明を実施するための最良の形態】
【００３７】
以下、図面を参照して本発明の実施形態について説明する。図１は本発明の実施形態による情報処理システムを適用した画像購入システムの構成を示す概略ブロック図である。図１に示すように、本発明の実施形態による画像購入システムは、携帯電話１と、ＤＶＤ／ＨＤＤプレーヤ（以下プレーヤとする）３と、携帯サイトサーバ５と、サービス提供サーバ７とを備える。なお、プレーヤ３はテレビ９と接続されている。
【００３８】
図２は携帯電話の構成を示す概略ブロック図である。図２に示すように、携帯電話１には、被写体像を受光面に結像させて光電変換し、さらにＡ／Ｄ変換および画像処理等を行ってデジタルの画像データとして出力する撮像部１１と、携帯電話１全体の制御を行うとともに画像データのサンプリングタイミング制御、画像データの記録制御、通信制御および表示制御等の各種制御を行うＣＰＵ１３と、ＣＰＵ１３の動作プログラム等のソフトウェア、ユーザを識別するための識別コードおよび各種定数が記録されている領域、ＣＰＵ１３が処理を実行する際の作業領域並びに画像データを記録する領域からなるメモリ１５と、ユーザが種々の指示を携帯電話１に対して行うための入力部１７と、画像データを含む各種表示を行うＬＣＤ等からなる表示部１９と、赤外線またはブルーツース等の近距離無線通信を行う無線通信部２１とを備える。
【００３９】
また、携帯電話１は、公衆回線と無線通信することにより通話や電子メールの送受信を行うための公衆回線用無線通信部２３と、通話を行うためのマイクおよびスピーカを有する通話部２５を備える。
【００４０】
携帯電話１はこのような構成を有することにより、撮像部１１において取得した画像データをメモリ１５に保存することが可能である。また、公衆回線用無線通信部２３および通話部２５により、通話、インターネットへの接続および電子メールの送受信を行うことが可能である。また、無線通信部２１を用いて、対応する無線通信部を有する装置と無線通信を行うことが可能である。
【００４１】
図３はレコーダ３の構成を示す概略ブロック図である。図３に示すようにレコーダ３は、画像データおよび録画した動画像データを保存するためのＨＤＤおよびＤＶＤレコーダを有する記録部３１と、レコーダ３全体の制御を行うとともに、画像データおよび動画像データの記録制御、通信制御および表示制御等の各種制御を行うＣＰＵ３３と、ＣＰＵ３３の動作プログラム等のソフトウェア、各種定数が記録されている領域およびＣＰＵ３３が処理を実行する際の作業領域からなるメモリ３５と、ユーザが種々の指示をレコーダ３に対して行うための入力部３７と、画像データおよび動画像データのデコード、エンコード等を行う処理部３９と、赤外線またはブルーツース等の近距離無線通信を行う無線通信部４１とを備える。
【００４２】
また、レコーダ３は、テレビ９に音声信号およびビデオ信号を出力するための信号出力端子４３と、インターネットと接続されたネットワーク通信インターフェース４５と、画像データが記録されたメモリカードから画像データを読み出すためのカードインターフェース４７とを備える。なお、本実施形態においては、レコーダ３はブロードバンド回線に接続されているものとする。
【００４３】
レコーダ３はこのような構成を有することにより、記録部３１に保存された画像データまたは動画像データをテレビ９に表示することが可能である。また、カードインターフェース４７からメモリカード（不図示）に記録された画像データを読み出して記録部３１に保存することが可能である。また、ネットワーク通信インターフェース４５を介してインターネットに接続して、各種情報の送受信を行うことが可能である。また、無線通信部４１を用いて、対応する無線通信部を有する装置と無線通信を行うことが可能である。
【００４４】
図４は携帯サイトサーバ５の構成を示す概略ブロック図である。図４に示すように携帯サイトサーバ５は、携帯サイトサーバ５が運営する画像購入サイトのウェブページを携帯電話１に表示するためのデータを管理するウェブデータ管理部５１と、携帯サイトサーバ５全体の制御を行うＣＰＵ５３と、ＣＰＵ５３の動作プログラム等のソフトウェア、各種定数が記録されている領域およびＣＰＵ５３が処理を実行する際の作業領域からなるメモリ５５と、携帯サイトサーバ５の管理者が種々の指示を携帯サイトサーバ５に対して行うための入力部５７と、各種表示を行うＬＣＤ等からなる表示部５９とを備える。
【００４５】
また、携帯サイトサーバ５は、後述する注文処理を登録するための注文データベース６１と、インターネットと接続されたネットワーク通信インターフェース６３と、ユーザの住所、氏名、電話番号等のユーザ情報を登録したユーザ情報データベース６４とを備える。
【００４６】
携帯サイトサーバ５はこのような構成を有することにより、携帯電話１と通信を行って画像購入サイトのウェブページを携帯電話１に表示することができる。また、後述するように携帯電話１から送信された注文情報に基づく注文処理を注文データベース６１に登録することができる。
【００４７】
図５はサービス提供サーバ７の構成を示す概略ブロック図である。図５に示すようにサービス提供サーバ７は、サービス提供サーバ７のサイトおよび後述する画像データのダウンロードサイトのウェブページを表示するためのデータを管理するウェブデータ管理部７１と、サービス提供サーバ７全体の制御を行うＣＰＵ７３と、ＣＰＵ７３の動作プログラム等のソフトウェア、各種定数が記録されている領域およびＣＰＵ７３が処理を実行する際の作業領域からなるメモリ７５と、種々の指示をサービス提供サーバ７に対して行うための入力部７７と、各種表示を行うＬＣＤ等からなる表示部７９とを備える。
【００４８】
また、サービス提供サーバ７は、後述する注文処理を登録するための注文データベース８１と、インターネットと接続されたネットワーク通信インターフェース８３と、ユーザがダウンロードする画像データを含む各種データを記録する記録部８５と、必要な場合に画像データをプリント出力してプリントを得るプリンタ８７と、後述するように、携帯電話１のキャリア会社に送信するための、画像をダウンロードしたユーザについての課金情報を生成する課金制御部８９とを備える。
【００４９】
サービス提供サーバ７はこのような構成を有することにより、パソコン、レコーダ３等と通信を行って画像データのダウンロードサイトのウェブページをパソコンやレコーダ３に接続されたテレビ９に表示することができる。また、後述するように携帯電話１から携帯サイトサーバ５を介して送信された注文情報に基づく注文処理を注文データベース８１に登録することができる。また、記録部８５に送信された画像データを保存することができる。また、注文情報に応じて画像データをインターネット経由で出力することができる。また、課金制御部８９において課金情報を生成して、携帯電話１のキャリア会社に送信することができる。
【００５０】
次いで、本実施形態による画像購入サービスシステムにおいて行われる処理について説明する。図６および図７は本実施形態において行われる第１の処理を示すフローチャートである。なお、サービス提供サーバ７の記録部８５には、ユーザに購入させるための画像データが保存されているものとする。
【００５１】
まず、ユーザの操作により、携帯電話１は、インターネット経由で携帯サイトサーバ５の画像購入サイトに接続する（ステップＳＴ１）。
【００５２】
携帯サイトサーバ５は、画像購入サイトのウェブページを携帯電話１に送信する（ステップＳＴ２）。
【００５３】
携帯電話１は画像購入サイトのウェブページを表示する（ステップＳＴ３）。画像購入サイトのウェブページには、購入可能な画像の一覧、画像の内容の解説および画像の料金等が含まれる。ユーザは画像購入サイトのウェブページを見ながら、携帯電話１を操作して購入する画像を選択し、携帯電話１は購入する画像の選択の指示を受け付ける（ステップＳＴ４）。次いで、携帯電話１はユーザが選択確定指示を入力したか否かを判定し（ステップＳＴ５）、ステップＳＴ５が否定されるとステップＳＴ４に戻る。ステップＳＴ５が肯定されると、ユーザを識別するための識別コードおよび画像購入のリクエストを、画像購入サイトのウェブページから携帯サイトサーバ５にインターネット経由で送信する（ステップＳＴ６）。なお、識別コードとしては携帯電話１の電話番号を用いることができる。また、画像購入リクエストには購入する画像のファイル名、画像数等の注文情報が含まれる。
【００５４】
携帯サイトサーバ５は識別コードおよび画像購入リクエストを受信し（ステップＳＴ７）、画像購入リクエストを特定するためのユニークＩＤを発行する（ステップＳＴ８）。ユニークＩＤとしては例えば１２８ビットの数値や記号の組み合わせ等を用いることができる。そして、携帯サイトサーバ５は、ユニークＩＤ、識別コードおよび画像購入リクエストに含まれる注文情報を１つの注文処理として注文データベース６１に登録する（ステップＳＴ９）。そして、携帯サイトサーバ５は、ユーザ情報データベース６４を参照して、受信した識別コードに対応するユーザ情報を取得し、ユニークＩＤ、ユーザ情報および注文情報をサービス提供サーバ７にインターネット経由で送信する（ステップＳＴ１０）。
【００５５】
サービス提供サーバ７は、待機状態にあるが（ステップＳＴ１１）、何らかの指示を受信すると処理を開始する（ステップＳＴ１２）。ここでは、携帯サイトサーバ５が送信したユニークＩＤ、ユーザ情報および注文情報を受信し、これらを１つの注文処理として注文データベース８１に登録する（ステップＳＴ１３）。そして、注文情報を参照してユーザが購入するリクエストを行った画像を表す画像データのＵＲＬ（ダウンロード先ＵＲＬ）を生成し（ステップＳＴ１４）、ダウンロード先ＵＲＬを携帯サイトサーバ５に送信し（ステップＳＴ１５）、ステップＳＴ１１に戻る。
【００５６】
携帯サイトサーバ５は、ユニークＩＤおよび受信したダウンロード先ＵＲＬを携帯電話１にインターネット経由で送信し（ステップＳＴ１６）、処理を終了する。
【００５７】
携帯電話１は、携帯サイトサーバ５が送信したユニークＩＤおよびダウンロード先ＵＲＬを受信し（ステップＳＴ１７）、無線通信部２１からユニークＩＤおよびダウンロード先ＵＲＬをレコーダ３に送信するとともに、ダウンロード開始指示を行い（ステップＳＴ１８）、処理を終了する。
【００５８】
レコーダ３は無線通信部４１により携帯電話１が送信したユニークＩＤ、ダウンロード先ＵＲＬおよびダウンロード開始指示を受信し（ステップＳＴ１９）、ダウンロードモードに切り替わる（ステップＳＴ２０）。そして、ユニークＩＤをインターネット経由でダウンロード先ＵＲＬに送信することにより、認証の確認を行う（ステップＳＴ２１）。
【００５９】
サービス提供サーバ７は、ユニークＩＤを受信すると（ステップＳＴ１２）、受信したユニークＩＤを含む注文処理が注文データベースに登録されているか否かについて、注文データベースを検索する（ステップＳＴ２２）。そして、注文処理が登録されていない場合には、その旨をレコーダ３に通知し（ステップＳＴ２３）、ステップＳＴ１１に戻る。レコーダ３には例えば「注文処理が登録されていません」等のメッセージが表示される。この場合、レコーダ３には画像データは送信されないこととなる。なお、携帯電話１に直接メッセージ画面を送信してもよい。
【００６０】
ユニークＩＤが注文データベースに登録されていると、サービス提供サーバ７は認証が確認された旨の情報をレコーダ３に送信し（ステップＳＴ２４）、さらに画像データをレコーダ３に送信する（ステップＳＴ２５）。
【００６１】
レコーダ３は認証確認された旨の情報を受信すると、テレビ９に例えば「認証がなされました。ダウンロードを開始します」のような認証メッセージを表示し（ステップＳＴ２６）、画像データをダウンロードする（ステップＳＴ２７）。ダウンロードが完了すると、「ダウンロードが完了しました」等のメッセージを含む完了画面をテレビ９に表示し（ステップＳＴ２８）、処理を終了する。なお、携帯電話１に直接完了画面を送信してもよい。ダウンロードされた画像データはテレビ９に表示される。
【００６２】
画像データを送信した後、サービス提供サーバ７はユーザ情報および注文情報にしたがって、課金制御部８９によりユーザが購入した画像に対する課金情報を生成し、携帯電話１のキャリア会社に課金情報を送信し（ステップＳＴ２９）、処理を終了する。
【００６３】
携帯電話１のキャリア会社は課金情報を受信し、ユーザの携帯電話１の利用料金にユーザが購入した画像の料金を含めて、ユーザの口座から料金を引き落とす。引き落とした料金のうち、ユーザが購入した画像の料金は、サービス提供サーバ７を運営する会社に還元される。
【００６４】
このように、本実施形態の第１の処理においては、ユーザの識別コードおよび注文情報を含む画像購入リクエストを携帯電話１から携帯サイトサーバ５に送信し、さらに、携帯サイトサーバ５から識別コードに対応するユーザ情報を注文情報とともにサービス提供サーバ７に送信し、レコーダ３からユニークＩＤをサービス提供サーバ７に送信し、サービス提供サーバ７において、ユニークＩＤおよび注文情報に基づいて画像データのダウンロードをレコーダ３に行わせるようにしたものである。このため、ユーザは、携帯電話１から識別コードおよび画像購入リクエストを送信し、レコーダ３からサービス提供サーバ７へユニークＩＤを送信する指示を行うのみで、購入した画像をレコーダ３にダウンロードしてテレビ９に表示することができ、これにより、効率よく画像のダウンロードのサービスの提供を受けることができる。
【００６５】
また、携帯サイトサーバ５においてユニークＩＤを発行し、サービス提供サーバ７においてユニークＩＤを含む注文処理を登録し、レコーダ３から送信されたユニークＩＤを参照して、注文処理が登録されているか否かを判定しているため、ユーザを特定することができないために費用の回収が不可能な、画像購入リクエストのない画像データをレコーダ３に送信してしまうことを未然に防止することができる。
【００６６】
また、ユーザ識別情報に基づいて、携帯電話１のキャリア会社を介してユーザに課金を行っているため、ダウンロードサービスを提供する会社は、サービス提供に要した費用を確実に回収することができる。
【００６７】
また、ブロードバンド回線に接続されたレコーダ３に画像データをダウンロードしているため、ユーザは通信に要する時間を短縮して、効率よくダウンロードサービスの提供を受けることができる。
【００６８】
次いで、本発明の実施形態の第２の処理について説明する。図８および図９は本実施形態において行われる第２の処理を示すフローチャートである。なお、サービス提供サーバ７の記録部８５には、ユーザに購入させるための画像データが保存されているものとする。
【００６９】
まず、ユーザの操作により、携帯電話１は、レコーダ３を画像データをダウンロードするためのダウンロードモードに切り替えるための指示を無線通信部２１からレコーダ３に送信する（ステップＳＴ４１）。
【００７０】
レコーダ３は無線通信部４１によりこの指示を受信すると、インターネット経由でサービス提供サーバ７のダウンロードサイトに接続する（ステップＳＴ４２）。
【００７１】
サービス提供サーバ７は、待機状態にあるが（ステップＳＴ４３）、何らかの指示を受信すると処理を開始する（ステップＳＴ４４）。ここでは、レコーダ３からのダウンロードサイトの送信指示を受信し、ダウンロードサイトのウェブページをインターネット経由でレコーダ３に送信する（ステップＳＴ４５）。送信後、ステップＳＴ４３に戻る。
【００７２】
レコーダ３は、画像購入サイトのウェブページをテレビ９に表示する（ステップＳＴ４６）。ダウンロードサイトのウェブページには、ダウンロード可能なすなわちユーザが購入可能な画像の一覧、画像の内容の解説および画像の料金等が含まれる。ユーザはテレビ９に表示されたウェブページを見ながら、携帯電話１を操作してダウンロードする画像を選択する。これにより、画像選択の指示がレコーダ３に送信される（ステップＳＴ４７）。レコーダ３は画像選択の指示を受信し、画像の一覧において選択された画像に画像選択マークを表示する（ステップＳＴ４８）。
【００７３】
携帯電話１はユーザが選択確定指示を入力したか否かを判定し（ステップＳＴ４９）、ステップＳＴ４９が否定されるとステップＳＴ４７に戻る。ステップＳＴ４９が肯定されるとその指示をレコーダ３に送信し、待機状態となる（ステップＳＴ５０）。
【００７４】
レコーダ３は選択確定指示を受信すると、選択が確定した旨のメッセージを含むメッセージ画面をテレビ９に表示する（ステップＳＴ５１）。そして、ユーザが選択した画像のダウンロードリクエストをインターネット経由でサービス提供サーバ７に送信する（ステップＳＴ５２）。なお、ダウンロードリクエストには購入する画像のファイル名等の注文情報が含まれる。
【００７５】
サービス提供サーバ７は、ダウンロードリクエスト受信すると（ステップＳＴ４４）、ダウンロードリクエストを特定するためのユニークＩＤおよび暗号化した画像データを復号化するための暗号化解除キーを発行する（ステップＳＴ５３）。ユニークＩＤとしては例えば１２８ビットの数値や記号の組み合わせ等を用いることができる。そして、サービス提供サーバ７は、ユニークＩＤ、暗号化解除キーおよびダウンロードリクエストに含まれる注文情報を１つの注文処理として注文データベース８１に登録する（ステップＳＴ５４）。そして、ダウンロードリクエストのあった画像データを暗号化し（ステップＳＴ５５）、暗号化された画像データおよびユニークＩＤをインターネット経由でレコーダ３へ送信し（ステップＳＴ５６）、ステップＳＴ４３に戻る。
【００７６】
レコーダ３は、暗号化画像データおよびユニークＩＤをダウンロードして、記録部３１に保存し（ステップＳＴ５７）、ユニークＩＤを無線通信部４１から携帯電話１に送信する（ステップＳＴ５８）。
【００７７】
携帯電話１は、ユニークＩＤを受信すると、インターネット経由で携帯サイトサーバ５の画像購入サイトに接続する（ステップＳＴ５９）。
【００７８】
携帯サイトサーバ５は、画像購入サイトのウェブページを携帯電話１に送信する（ステップＳＴ６０）。
【００７９】
携帯電話１は画像購入サイトのウェブページを表示する（ステップＳＴ６１）。第２の処理における画像購入サイトのウェブページには、ユーザを識別するための識別コードおよびユニークＩＤを含む画像購入リクエストの送信画面が含まれる。携帯電話１は、識別コードおよびユニークＩＤを含む画像購入のリクエストを、画像購入サイトのウェブページから携帯サイトサーバ５にインターネット経由で送信する（ステップＳＴ６２）。なお、識別コードとしては携帯電話１の電話番号を用いることができる。
【００８０】
携帯サイトサーバ５は画像購入リクエストを受信し（ステップＳＴ６２）、画像購入リクエストを１つの注文処理として注文データベース６１に登録する（ステップＳＴ６３）。そして、携帯サイトサーバ５は、ユーザ情報データベース６４を参照して、受信した画像購入リクエストに含まれる識別コードに対応するユーザ情報を取得し、ユニークＩＤおよびユーザ情報をサービス提供サーバ７にインターネット経由で送信する（ステップＳＴ６４）。
【００８１】
サービス提供サーバ７は、ユニークＩＤおよびユーザ情報を受信すると（ステップＳＴ４４）、受信したユニークＩＤを含む注文処理が注文データベースに登録されているか否かについて、注文データベースを検索する（ステップＳＴ６５）。そして、注文処理が登録されていない場合には、その旨を携帯サイトサーバ５に通知し（ステップＳＴ６６）、ステップＳＴ４３に戻る。携帯サイトサーバ５はその旨を携帯電話１に通知する。携帯電話１には例えば「注文処理が登録されていません」等のメッセージが表示される。
【００８２】
ユニークＩＤが注文データベースに登録されていると、サービス提供サーバ７は、ユーザ情報をユニークＩＤに対応する注文処理に登録し（ステップＳＴ６７）、暗号化解除キーを携帯サイトサーバ５に送信する（ステップＳＴ６８）。そして、サービス提供サーバ７はユーザ情報および注文情報にしたがって、課金制御部８９によりユーザが購入した画像に対する課金情報を生成し、携帯電話１のキャリア会社に課金情報を送信し（ステップＳＴ６９）、処理を終了する。
【００８３】
携帯電話１のキャリア会社は課金情報を受信し、ユーザの携帯電話１の利用料金にユーザが購入した画像の料金を含めて、ユーザの口座から料金を引き落とす。引き落とした料金のうち、ユーザが購入した画像の料金は、サービス提供サーバ７を運営する会社に還元される。
【００８４】
携帯サイトサーバ５は、暗号化解除キーを受信すると、ユニークＩＤおよび暗号化解除キーをインターネット経由で携帯電話１に送信し（ステップＳＴ７０）、処理を終了する。
【００８５】
携帯電話１は、ユニークＩＤおよび暗号化解除キーを受信し（ステップＳＴ７１）、無線通信部２１から暗号化解除キーをレコーダ３に送信し（ステップＳＴ７２）、処理を終了する。
【００８６】
レコーダ３は暗号化解除キーを受信すると、ダウンロードした画像データを復号化し（ステップＳＴ７３）、テレビ９に復号化した画像を表示し（ステップＳＴ７４）、処理を終了する。
【００８７】
このように、本実施形態の第２の処理においては、暗号化された画像データをサービス提供サーバ７からレコーダ３に送信し、ユーザの識別コードおよび画像購入リクエストを携帯電話１から携帯サイトサーバ５に送信し、さらに、携帯サイトサーバ５から識別コードに対応するユーザ情報を注文情報とともにサービス提供サーバ７に送信し、サービス提供サーバ７から携帯サイトサーバ５経由で暗号化解除キーを携帯電話１に送信し、携帯電話１から暗号化解除キーをレコーダ３に送信して、暗号化された画像データを復号化するようにしたものである。このため、ユーザは、レコーダ３を用いて購入する画像を表す画像データをダウンロードし、携帯電話１から識別コードおよび画像購入リクエストを送信し、暗号化解除キーをレコーダ３へ送信する指示を行うのみで、購入した画像をレコーダ３によりテレビ９に表示することができ、これにより、効率よく画像のダウンロードのサービスの提供を受けることができる。
【００８８】
また、ユーザ識別情報に基づいて、携帯電話１のキャリア会社を介してユーザに課金を行っているため、ダウンロードサービスを提供する会社は、サービス提供に要した費用を確実に回収することができる。
【００８９】
また、ブロードバンド回線に接続されたレコーダ３に画像データをダウンロードしているため、ユーザは通信に要する時間を短縮して、効率よくダウンロードサービスの提供を受けることができる。
【００９０】
なお、上記実施形態において、サービス提供サーバ７に携帯サイトサーバ５の機能を持たせるようにしてもよい。この場合、上述したような携帯サイトサーバ５とサービス提供サーバ７との間のインターネット経由の情報のやりとりは、サービス提供サーバ７内においてローカルに行われることとなる。
【００９１】
また、上記実施形態の第１の処理においては、携帯サイトサーバ５がユニークＩＤを発行しているが、サービス提供サーバ７がユニークＩＤを発行してもよい。この場合、サービス提供サーバ７は、携帯サイトサーバ５からユニークＩＤ発行の指示を受けると、ユニークＩＤを発行して携帯サイトサーバ５に送信する。携帯サイトサーバ５は受信したユニークＩＤを携帯電話１に送信するとともに、受信したユニークＩＤを含む注文処理を注文データベース６１に登録する。また、携帯サイトサーバ５はユーザ情報および注文情報をサービス提供サーバ７に送信する。そして、サービス提供サーバ７は、受信したユーザ情報および注文情報を、自身が発行したユニークＩＤとともに１つの注文処理として注文データベース８１に登録する。
【００９２】
また、上記実施形態の第１の処理において携帯電話１がユニークＩＤを発行してもよい。この場合、携帯電話１は、識別コードおよび画像購入リクエストとともにユニークＩＤを携帯サイトサーバ５に送信する。携帯サイトサーバ５は、ユニークＩＤ、識別コードおよび画像購入リクエストに含まれる注文情報を１つの注文処理として注文データベース６１に登録する。そして、携帯サイトサーバ５は、ユニークＩＤ、ユーザ情報および注文情報をサービス提供サーバ７にインターネット経由で送信する。また、携帯サイトサーバ５は、ダウンロード先ＵＲＬのみを携帯電話１に送信する。携帯電話１は携帯サイトサーバ５が送信した自身が発行したユニークＩＤをダウンロード先ＵＲＬとともにレコーダ３に送信する。
【００９３】
また、上記実施形態の第１の処理においてレコーダ３がユニークＩＤを発行してもよい。この場合、レコーダ３は無線通信部４１からユニークＩＤを携帯電話１に送信する。なお、ユニークＩＤをテレビ９に表示し、携帯電話１のユーザに直接携帯電話１にユニークＩＤを入力させるようにしてもよい。携帯電話１は、識別コードおよび画像購入リクエストとともにユニークＩＤを携帯サイトサーバ５に送信する。携帯サイトサーバ５は、ユニークＩＤ、識別コードおよび画像購入リクエストに含まれる注文情報を１つの注文処理として注文データベース６１に登録する。そして、携帯サイトサーバ５は、ユニークＩＤ、ユーザ情報および注文情報をサービス提供サーバ７にインターネット経由で送信する。また、携帯サイトサーバ５は、ダウンロード先ＵＲＬのみを携帯電話１に送信する。携帯電話１はダウンロード先ＵＲＬをレコーダ３に送信する。レコーダ３は、自身が発行したユニークＩＤをダウンロード先ＵＲＬに送信する。
【００９４】
また、上記実施形態の第２の処理においては、サービス提供サーバ７がユニークＩＤを発行しているが、携帯サイトサーバ５がユニークＩＤを発行してもよい。この場合、サービス提供サーバ７は、画像購入リクエストを受信すると、ユニークＩＤの発行の指示を携帯サイトサーバ５に行う。携帯サイトサーバ５は、サービス提供サーバ７からユニークＩＤ発行の指示を受けると、ユニークＩＤを発行してサービス提供サーバ７に送信する。サービス提供サーバ７は受信したユニークＩＤを暗号解除キーとともに１つの注文処理として注文データベース８１に登録する。携帯サイトサーバ５は自身が発行したユニークＩＤを携帯電話１に送信するとともに、自身が発行したしたユニークＩＤを含む注文処理を注文データベース６１に登録する。
【００９５】
また、上記実施形態の第２の処理において携帯電話１がユニークＩＤを発行してもよい。この場合、携帯電話１は、ユニークＩＤをレコーダ３に送信する。レコーダ３は受信したユニークＩＤを画像購入リクエストとともにサービス提供サーバ７に送信する。サービス提供サーバ７は受信したユニークＩＤを暗号解除キーとともに１つの注文処理として注文データベース８１に登録する。携帯電話１は自身が発行したユニークＩＤを、画像購入リクエストとともに携帯サイトサーバ５に送信する。
【００９６】
また、上記実施形態の第２の処理においてレコーダ３がユニークＩＤを発行してもよい。この場合、レコーダ３は自身が発行したユニークＩＤを画像購入リクエストとともにサービス提供サーバ７に送信する。サービス提供サーバ７は受信したユニークＩＤを暗号解除キーとともに１つの注文処理として注文データベース８１に登録する。レコーダ３は自身が発行したユニークＩＤを携帯電話１に送信する。
【図面の簡単な説明】
【００９７】
【図１】本発明の実施形態による情報処理システムを提供した画像購入システムの構成を示す概略ブロック図
【図２】携帯電話の構成を示す概略ブロック図
【図３】レコーダの構成を示す概略ブロック図
【図４】携帯サイトサーバの構成を示す概略ブロック図
【図５】サービス提供サーバの構成を示す概略ブロック図
【図６】本実施形態において行われる第１の処理を示すフローチャート（その１）
【図７】本実施形態において行われる第１の処理を示すフローチャート（その２）
【図８】本実施形態において行われる第２の処理を示すフローチャート（その１）
【図９】本実施形態において行われる第２の処理を示すフローチャート（その２）
【符号の説明】
【００９８】
１    携帯電話
３    レコーダ
５    携帯サイトサーバ
７    サービス提供サーバ
９    テレビ
【図１】
2006003934.tif 000003
【図２】
2006003934.tif 000004
【図３】
2006003934.tif 000005
【図４】
2006003934.tif 000006
【図５】
2006003934.tif 000007
【図６】
2006003934.tif 000008
【図７】
2006003934.tif 000009
【図８】
2006003934.tif 000010
【図９】
2006003934.tif 000011